(57)【特許請求の範囲】
【請求項１】
記録データに対応して発せられる光源からの光ビームを第１光学手段を介して偏向器に導いた後、当該偏向器の回転により、第２光学手段を介して記録体上に走査露光を行うように構成した走査光学装置において、
前記第１光学手段から前記偏向器の間にあり前記第１光学手段から前記偏向器に入射する光ビームの光路を確保する入射用開口と前記偏向器から前記第２光学手段の間にあり前記偏向器から前記第２光学手段へ反射する光ビームの光路を確保する反射用開口とを構成する切欠部が形成された仕切壁と、前記第２光学手段から前記記録体への光ビームの光路の間に枠とスリットとが形成された壁と、が前記偏向器周辺における前記光ビームの通過領域外に一体的に形成された支持フレームと、
前記偏向器周辺における前記光ビームの通過領域外に壁と、前記支持フレームと組付けることにより前記入射用開口及び反射用開口を前記切欠部と下面で構成する仕切壁と、下部に前記偏向器に前記切欠部から入射する、また前記偏向器から前記切欠部方向に反射する光ビームの光路の領域に入射用開口及び反射用開口を有する前記偏向器の外接円より大きい内径を有する円筒形状の遮蔽部材とが一体的に形成された遮蔽上蓋と、からなり、
前記支持フレームの上に前記遮蔽上蓋を組付けた筐体形状を有し、内部に記録データに対応した光ビームを記録体まで導き走査露光するための光源、第１光学手段、偏向器及び第２光学手段を含む光学手段を配設したことを特徴とする走査光学装置。
【請求項２】
前記第２光学手段は、プラスチックからなることを特徴とする請求項１に記載の走査光学装置。
【請求項３】
前記第１光学手段は、プラスチックからなることを特徴とする請求項１または２に記載の走査光学装置。
【請求項４】
前記遮蔽部材の入射用開口及び反射用開口は、前記偏向器の回転方向から見て、開口を形成する下流側の端壁を流線型にしたことを特徴とする請求項１乃至３のいずれか１つに記載の走査光学装置。
【請求項５】
前記遮蔽上蓋の上部に熱伝導度の高い金属を配設したことを特徴とする請求項１乃至４のいずれか１つに記載の走査光学装置。
【請求項６】
前記金属を紫外線硬化型接着剤を用いて固定したことを特徴とする請求項５に記載の走査光学装置。
【請求項７】
前記遮蔽部材を構成する遮蔽上蓋の上部に、通気性を有し、かつ、防湿性のある繊維を被覆したことを特徴とする請求項１乃至４のいずれか１つに記載の走査光学装置。
【発明の詳細な説明】
【０００１】
【発明の属する技術分野】
本願発明は、記録データに対応して発せられる光源からの光ビームを第１光学手段を介して偏向器（以下、ポリゴンミラーと言う）に導いた後、当該ポリゴンミラーの回転により、第２光学手段を介して記録体上に走査露光を行うように構成した走査光学装置に関する。
【０００２】
【従来の技術】
記録データに対応して発せられる光源からの光ビームをガラスからなる第１光学手段を介してポリゴンミラーに導いた後、当該ポリゴンミラーの回転（約１万回転／分）により、前記光ビームを偏向し、ガラスからなる第２光学手段を介して記録体上に走査露光をするように構成した走査光学装置は知られている。
【０００３】
また、前記走査光学装置において、前記ポリゴンミラーの回転から生ずる騒音を防止すべく、ポリゴンミラーの周囲を遮蔽部材で覆うとともに、当該遮蔽部材に設けた、ポリゴンミラーに対する入射光およびポリゴンミラーの反射光のための開口領域を、透明なガラスをで覆った構成も公知である。
【０００４】
一方、市場においては、走査光学装置の高速化、小型化あるいは低廉化に対して強い要望がある。
【０００５】
【発明が解決しようとする課題】
しかしながら、従来の走査光学装置は、特に、高速化あるいは小型化には向かないという問題のある事が本願発明者による開発過程で判明した。
【０００６】
例えば、ポリゴンミラーの回転数を高速回転（２〜３万回転／分）させると、従来装置のような低速回転の場合にさほど問題にならなかった騒音が発生するというのがそれである。
【０００７】
また、ポリゴンミラーを高速回転させるモーター駆動源からの発生熱が、筐体状の装置内温度を上昇させ、安全性または取り扱い性上の問題を惹起するのみならず、小型化、低廉化等にも影響するというのがそれである。
【０００８】
例えば、従来装置における装置内温度に比して、高速回転が継続した時の装置内温度は約２０℃も上昇する。
【０００９】
換言すれば、装置を小型化にしようとしても、上記問題から困難性が伴い、また、小型化を図るとともに廉価な構成、例えば、光学手段を樹脂成型品で構成した場合、当該光学手段が変形してしまい、結果として、所望の記録画像が得られなくなるという問題が派生する。
【００１０】
本願発明は上記のような問題に鑑みてなされたもので、その主たる目的は、発熱による光学手段への悪影響を出来る限り低下せしめた小型化、低廉化を図ることができる走査光学装置を提供することにある。
【００１１】
また、他の目的は、騒音の発生を極力少なくした小型化、低廉化を図ることができる走査光学装置を提供することにある。
【００１２】
【課題を解決するための手段】
本発明の目的は、以下の構成要件により達成できる。
【００１３】
（１）記録データに対応して発せられる光源からの光ビームを第１光学手段を介して偏向器に導いた後、当該偏向器の回転により、第２光学手段を介して記録体上に走査露光を行うように構成した走査光学装置において、
前記第１光学手段から前記偏向器の間にあり前記第１光学手段から前記偏向器に入射する光ビームの光路を確保する入射用開口と前記偏向器から前記第２光学手段の間にあり前記偏向器から前記第２光学手段へ反射する光ビームの光路を確保する反射用開口とを構成する切欠部が形成された仕切壁と、前記第２光学手段から前記記録体への光ビームの光路の間に枠とスリットとが形成された壁と、が前記偏向器周辺における前記光ビームの通過領域外に一体的に形成された支持フレームと、前記偏向器周辺における前記光ビームの通過領域外に壁と、前記支持フレームと組付けることにより前記入射用開口及び反射用開口を前記切欠部と下面で構成する仕切壁と、下部に前記偏向器に前記切欠部から入射する、また前記偏向器から前記切欠部方向に反射する光ビームの光路の領域に入射用開口及び反射用開口を有する前記偏向器の外接円より大きい内径を有する円筒形状の遮蔽部材とが一体的に形成された遮蔽上蓋と、からなり、前記支持フレームの上に前記遮蔽上蓋を組付けた筐体形状を有し、内部に記録データに対応した光ビームを記録体まで導き走査露光するための光源、第１光学手段、偏向器及び第２光学手段を含む光学手段を配設したことを特徴とする走査光学装置。
【００１４】
（２）前記第２光学手段は、プラスチックからなることを特徴とする前記（１）に記載の走査光学装置。
【００１５】
（３）前記第１光学手段は、プラスチックからなることを特徴とする前記（１）または（２）に記載の走査光学装置。
【００１６】
（４）前記遮蔽部材の入射用開口及び反射用開口は、前記偏向器の回転方向から見て、開口を形成する下流側の端壁を流線型にしたことを特徴とする前記（１）乃至前記（３）のいずれか１つに記載の走査光学装置。
【００１７】
（５）前記遮蔽上蓋の上部に熱伝導度の高い金属を配設したことを特徴とする前記（１）乃至前記（４）のいずれか１つに記載の走査光学装置。
【００１８】
（６）前記金属を紫外線硬化型接着剤を用いて固定したことを特徴とする前記（５）に記載の走査光学装置。
【００１９】
（７）前記遮蔽部材を構成する遮蔽上蓋の上部に、通気性を有し、かつ、防湿性のある繊維を被覆したことを特徴とする前記（１）乃至前記（４）のいずれか１つに記載の走査光学装置。
【００２２】
【発明の実施の形態】
本発明の実施の形態の一例を、以下、図面に基づいて説明する。
【００２３】
図１は走査光学装置の正面図、図２は支持フレームの平面図、図３は遮蔽上蓋の平面図、図４は遮蔽上蓋の一部分を拡大して示す図、図５は遮蔽部材により形成した入射用開口及び反射用開口を示すための斜視図、図６は図４のＡ−Ａ矢視断面図、図７は図４におけるＢ部の詳細な底面図、図８は、遮蔽上蓋上部に熱伝導度の高い金属を付設した構成の断面図、図９は、図８に示す金属の形状応用例を示す平面図、図１０は、図８に示す金属の形状の他の応用例の側面図、図１１は、遮蔽上蓋部を透湿防湿性繊維で披覆した平面図、図１２は、図１１のＣ−Ｃ断面図である。
【００２４】
図１に示すように、本願発明に係わる走査光学装置は、枠１１２とスリット１１４が形成されている支持フレーム１の上に遮蔽上蓋２を組付けた筐体形状を有し、内部に記録データに対応した光ビームを記録体まで導き走査露光するための光学手段を配設して構成される。
【００２５】
図２に示すように、前記支持フレーム１はポリカーボネイト樹脂（ＰＣ樹脂）を成型したことよりなり、区画して示す底部１０５乃至１０８（説明に必要な場所のみ参照番号を付けてある）と、前記区画を形成している仕切壁（支持フレーム１と一体的な壁）１０１乃至１０３（説明に必要な場所のみ参照番号を付してある）とを主要素として形成されている。
【００２６】
３はレーザ光源、４は第１光学手段でコリメータレンズ４０及び第１シリンドリカルレンズ４１を主要素とし、当該第１光学手段は前記仕切壁１０１に配設されている。
【００２７】
実施の態様における前記コリメータレンズ４０及び第１シリンドリカルレンズ４１はガラスで形成してあるが、プラスチックで構成することも可能である。
【００２８】
また、５は多角形のポリゴンミラーからなる偏向器（以下、ポリゴンミラー５という）で、レーザ光源３から出射され、前記第１光学手段４を通過した光ビーム８を偏向すべく、区画された前記支持フレーム１の底部１０５の領域内であって、駆動軸５０１を中心に回転可能に設けられている。
【００２９】
なお、前記駆動軸５０１に動力を伝達する駆動手段（図示せず）が、当該駆動軸の下側に付設されている。
【００３０】
６はｆθレンズ、７は第２シリンドリカルレンズで、それぞれ前記底部１０６、１０８上に適宜手段を介して位置固定してある。
【００３１】
前記ｆθレンズ６及び第２シリンドリカルレンズ７は第２光学手段を構成する主要素であり、前記ポリゴンミラー５で偏向される光ビーム８を記録体９上に結像させる結像レンズとして機能するようにしている。
【００３２】
実施の態様において、前記第２光学手段を、ｆθレンズ６と第２シリンドリカルレンズ７との２枚のレンズで構成したが、１枚あるいは３枚のレンズにより構成することもでき、設計の自由度は広い。
【００３３】
なお、前記ｆθレンズ６およびシリンドリカルレンズ７は、アクリル樹脂を成形して得たものであり、ガラスで構成してもよいが、装置の軽量化、低廉化には樹脂成型品が好適である。
【００３４】
前記支持フレーム１内であって、前記ポリゴンミラー５と前記ｆθレンズ６の間にある仕切壁１０２には、光ビーム８の前記ポリゴンミラー５への入射及び当該ポリゴンミラー５からの反射の光路を確保するための適宜の幅と深さを有する切欠部１１０を形成してある（詳細は図５参照）。
【００３５】
前記支持フレーム１の上に組付ける遮蔽上蓋２は、図３に示すように、上板２０１から立ち下がって適宜の区画を形成する仕切壁２０２と、遮蔽部材２０３を主要素とするとともに、周囲のほぼ全域にわたって凹溝２０４を有している。
【００３６】
前記仕切壁２０２は、前記支持フレーム１側に設けた仕切壁（１０１乃至１０３）と組立完了時において対向又は接触するように構成してある。
【００３７】
また、組立完了時において、前記支持フレーム１側の切欠部１１０は、その上面を、前記遮蔽上蓋２上の仕切壁２０２の下面で形成されるようになっている。
【００３８】
換言すれば、前記仕切壁１０２と２０２との近接または接触により、前記ポリゴンミラー５に対する光ビームの入射用開口及び当該ポリゴンミラー５を介しての前記光ビームの反射用開口を兼ねた１つの開口が形成される。
【００３９】
前記開口部を含み、前記仕切壁１０２、１０３および２０２は、当然の事として、記録のための光ビーム８の走査に支障にならない突出長さとしてある。
【００４０】
なお、前記凹溝２０４は、前記支持フレーム１の周囲を囲む仕切壁１０１に嵌合できるようになっており、前記凹溝２０４と前記仕切壁１０１とを嵌合した後、締結用孔２０５を介してビスをねじ込み、支持フレーム１と締結することにより、走査光学装置としての筐体形状が構成される。
【００４１】
また、前記遮蔽上蓋２には、図５に詳しく示すように、前記ポリゴンミラー５の周囲を覆う筒状の遮蔽部材２０３が一体的に形成されており、当該遮蔽部材２０３の下端は、前記支持フレーム１の区画された底部１０５に近接する長さを有する。
【００４２】
そして、前記遮蔽部材２０３に形成してある円筒下部２０６の光ビーム８の通過領域の部分には切欠部２０８を形成してある。
【００４３】
前記ｆθレンズ６と第２シリンドリカルレンズ７の間に形成されている仕切壁１０３の高さ位置及び遮蔽上蓋２に形成されている仕切壁２０２の立ち下がり位置は、記録体９に近付くにつれて前記仕切壁１０３と２０２で形成される空間が段階的に広く成るような寸法に設定されている。
【００４４】
前記構成により、記録データに対応して発せられるレーザ光源３からの光ビーム８は、コリメータレンズ４０、第１シリンドリカルレンズ４１を通り、ポリゴンミラー５で偏向された後、ｆθレンズ６及び第２シリンドリカルレンズ７およびスリット１１４を経て記録体９に達するまでの光路が確保される。
【００４５】
また、前記記録体９の移動または回転およびポリゴンミラー５による偏向により主走査方向および副走査方向の記録走査が達成されることになる。
【００４６】
ところで、前記構成において、ポリゴンミラー５およびその駆動源（図示せず）を遮蔽部材２０３で覆うとともに、当該遮蔽部材の周囲を更に仕切壁で区画したのは、前記駆動源の発生熱を局所に閉じこめ、即座に装置内に広まらないようにするためであり、また、騒音が装置外に漏れるのを極力防止するためである。
【００４７】
更に、前記区域にとどまらずに、多くの仕切壁１０２、１０３等を設けたのは、遮蔽上蓋２あるいは支持フレーム１を構成する材質と相俟って、熱の伝搬がゆっくりと、かつ、均一に行われるようにすると同時に、効率的な放熱を行わせ、装置内の温度上昇を出来る限り抑制して、樹脂製レンズの熱変形を防止するためである。
【００４８】
これらの改善は、走査光学装置の一層の小型化に寄与できる。
【００４９】
開発当初、前記ｆθレンズ６の配設位置を熱の発生源であるポリゴンミラー５の駆動手段（図示せず）から５０ｍｍ前後と、以前の約半分の距離になるようにするとともに、前記第２光学手段側には、仕切壁１０２、２０２等を形成しない状態で多数の実験を行った。
【００５０】
この結果、プラスチックで形成した前記ｆθレンズ６や第２シリンドリカルレンズ７が発生熱により変形してしまい、所望の記録が得られなくなる場合が多々生じる事がわかった。
【００５１】
因みに、熱による線膨張係数のデータを示す表１から、ガラスに比べアクリル樹脂の線膨張係数は、１０倍強の熱変形を受け易いことが解る。
【００５２】
【表１】
0003887995.tif 000002
【００５３】
前記発生熱による前記走査光学装置内の温度は、１万回転／分以下の低速機に比べ、３万回転／分のように高速機の場合には、２０℃内外の温度上昇を招き、前記のような悪影響を及ぼす。
【００５４】
そこで、前記構成の説明でしたように、ポリゴンミラー５の周囲を、ＡＢＳ樹脂（ポリスチレン系樹脂）からなる遮蔽上蓋２と一体的に形成した遮蔽部材２０３と、ポリカーボネイト樹脂（ＰＣ樹脂）からなる支持フレーム１と一体的に形成した仕切壁１０２等で遮蔽し、ポリゴンミラー５の駆動部からの発生熱を極力、局所に閉じ込めるようにするとともに、図２および図３に示すように、仕切壁１０２、１０３、２０２を設け、前記入射用開口及び反射用開口（実質的には、前記切欠部１１０）からｆθレンズ６側へ、漏れ出る高速な熱風を、前記仕切壁により遮るようにして、アクリル樹脂製レンズに与える熱量を時間的に緩やかになるようにした。
【００５５】
なお、前記ｆθレンズ６およびシリンドリカルレンズ７の周囲に、更なる多くの壁を形成し、熱風遮断またはより効率的な放熱を行わせるようにすることができる。
【００５６】
また、騒音については前述したような構成だけでは大きな効果は得られなかった。
【００５７】
騒音を更に減少しうる構成を図７に示す。
【００５８】
騒音は、ポリゴンミラー５の高速回転に伴って誘発される空気流が前記遮蔽部材２０３の円筒下部２０６に形成されている端壁２０７に当たる事により発生していた。
【００５９】
具体的には、前記ポリゴンミラー５の回転方向に見て下流側に位置する端壁２０７に空気流が衝突することにより騒音が発生する。
【００６０】
当初、前記端壁２０７を円周に対し直角に形成してあったものを、実施の態様においては流線型に構成した。
【００６１】
当該流線型は、端壁２０７の形状を、円筒下部２０６の厚みの中心から、円筒の内径及び外径にテーパー状に稜線を形成し、前記テーパーの先端部に半径０．５ｍｍ以下の丸みを付けてある。
【００６２】
斯様な構成とすることにより、ポリゴンミラー５から誘発される空気流は、前記ポリゴンミラー５の外接円より大きい内径を有する遮蔽部材２０３の円筒内径に沿って流れ、更に、流線型にした端壁２０７に沿って流れる。
【００６３】
この結果、前記端壁２０７に当たって生ずる乱流による騒音を減少し得た。
【００６４】
この他に、既述のように、光学手段として、レンズをガラスからプラスチックに代えたことで量産を可能とし、装置のコストダウンと軽量化を図れる。
【００６５】
なお、前記支持フレーム１及び前記遮蔽上蓋２の樹脂成型時に、前記入射用開口を形成する切欠部や仕切壁または遮蔽部材等を一体成形で得る構成としたが、本発明はこれに限定されるものではなく、例えば、遮蔽部材を遮蔽上蓋と別個に作ったのちに一体化する構成でもよく、また、その一体化も支持フレームと行うようにしてもよい。
【００６６】
更に、堅牢性、放熱性、成形性等、所定の機能を満たすものであれば、前記支持フレームおよび前記遮蔽上蓋も他の樹脂材料で構成しても良い。
【００６７】
次に、遮蔽部材２０３に関係する他の構成について説明する。
【００６８】
図８は、遮蔽上蓋２の成型時に、遮蔽部材２０３の突起部（以下、蓋部という）２１０を成型せずに、中空にしておき、当該蓋部２１０と同形状（円筒上部全体で考慮も可）の、かつ、熱伝導の良好な金属を配設した構成を示す。
【００６９】
【表２】
0003887995.tif 000003
【００７０】
表２によると、熱伝導率の数値が大きい、シルミン、Ｙ合金等のアルミ合金及び黄銅は走査光学装置の遮蔽上蓋２に使われているＡＢＳ樹脂に比べ、約６００〜８００倍の熱伝導の良さがある。
【００７１】
従って、蓋部２１０に、前記の如く熱伝導率の高い金属を配設すれば、ポリゴンミラー５の駆動部から発生する熱を、当該蓋部２１０から前記走査光学装置外への誘導が容易となる。
この構成は、ポリゴンミラー５の駆動部からの発生熱が装置内に篭もる事を積極的に排除しうるので、樹脂レンズの変形に対して有用であり、装置の小型化に役立つ。
【００７２】
前記金属の蓋部２１０への固定方法は、紫外線硬化型接着剤を用いて固定しても良く、またステーキングをして、超音波接着を行っても良い。
【００７３】
また、前記蓋部２１０形状は、図９、図１０に示すように、上側を波状のフィン２１３を形成して、更に放熱し易くすることができる。
【００７４】
そして、円周の一部に、図９に示す、組付用の切込２１４を形成し、一方、この切込みに対応した中空部突起部２１５に組み合わせ用の突起を形成しておき、両者を係合して、接着剤で固定する構成としても良い。
【００７５】
他の構成として、図１１、図１２に示すように、前記蓋部２１０に小孔２１６を多数形成しておき、この上に、通気性を有するとともに、防湿性や防塵性のある繊維２１８で被覆したものでも良い。
【００７６】
この構成は、遮蔽部材２０３で覆われたポリゴンミラー５の周辺の温度と、走査光学装置外の温度との差で上昇気流を生ぜしめ、前記装置内の温度上昇を抑制しうることが期待できる。
【００７７】
当該構成による効果は、前記した第１の代替案と同様である。
【００７８】
なお、前記透湿防湿性繊維２１８としては、例えば、ゴアテックス（Ｗ．Ｌ．ＧＯＲＥ社の商品名）、エントランス（東レ社の商品名）等が市販されており、好適に使用できる。
【００７９】
繊維の性質は次のようである。
【００８０】
即ち、雨滴の直径（１００μｍ〜６０００μｍ）より、遙かに小さく、水蒸気の直径（０．０００４μｍ）より遙かに大きい０．２μｍ〜１０μｍ程度の孔を無数にもっている微多孔膜により、水蒸気は外部に透過するが、雨滴は表面張力の抵抗により、中へは通さない性質を有している。
【００８１】
この構成によっても有効な放熱効果が得られる事が認められた。
【００８２】
【発明の効果】
請求項１乃至請求項４に係わる発明は、枠とスリットが形成され、前記偏向器周辺における前記光ビームの通過領域外に一体的な壁を形成した支持フレームの上に、前記偏向器周辺における前記光ビームの通過領域外に一体的に壁を形成した、また下部に入射用開口および反射用開口を有する前記偏向器の外接円より大きい内径を有する円筒形状の遮蔽部材を一体的に形成した遮蔽上蓋を組み付けて構成し、且つ、入射用開口および反射用開口を、前記支持フレームと一体的に設けた切欠部と前記遮蔽上蓋に設けた仕切壁の下面とで形成した筐体形状の内部に、記録データに対応した光ビームを記録体まで導き走査露光するための光源、第１光学手段、偏向器及び第２光学手段を含む光学手段を配設したことにより、部材の数が少ない簡単な構成で、製作も容易で組立も容易にできることを可能とし、また、遮蔽上蓋に形成した遮蔽部材が、ポリゴンミラーの外接円より大きい内径を有する円筒形であるので、ポリゴンミラーの高速回転から生ずる空気流がスムーズに流れポリゴンミラー駆動部からの熱を局所に密閉し、前記開口から漏洩する熱を極力少なくすることができる。これにより、走査光学装置の小型化、低廉化を図ることができる。
【００８５】
請求項４に係わる発明は、ポリゴンミラーの回転方向に見て下流側の端壁を流線型にしたので、前記ポリゴンミラーの高速回転に誘発される騒音を出来る限り減少させる。
【００８６】
請求項５に係わる発明は、遮蔽上蓋の上部（蓋部）に熱伝導度の高い金属を配設したので、放熱効果がよく、装置内の温度上昇を抑制できる。
【００８７】
請求項６に係わる発明は、上記金属の固定処置が簡単、迅速にできる。
【００８８】
請求項７に係わる発明は、遮蔽部材を構成する円筒上部（蓋部）に小孔を形成して、その上に、透湿防湿性繊維を被覆するので、遮蔽部材内部に籠もってる熱を、容易に走査光学装置の外部に放散できる。
【図面の簡単な説明】
【図１】走査光学装置の正面図である。
【図２】支持フレームの平面図である。
【図３】遮蔽上蓋の平面図である。
【図４】遮蔽上蓋の一部分を拡大して示す図である。
【図５】遮蔽部材により形成した入射用開口及び反射用開口を示すための斜視図である。
【図６】図４のＡ−Ａ矢視断面図である。
【図７】図４におけるＢ部の詳細な底面図である。
【図８】遮蔽上蓋上部に熱伝導度の高い金属の付設した構成の断面図である。
【図９】図８に示す金属の形状応用例を示す平面図である。
【図１０】前記金属の形状の他の応用例の側面図である
【図１１】遮蔽上蓋部を透湿防湿性繊維で披覆した平面図である。
【図１２】図１１のＣ−Ｃ断面図である。
【符号の説明】
１  支持フレーム
２  遮蔽上蓋
３  レーザ光源
４  第１光学手段
５  ポリゴンミラー
６  ｆθレンズ
７  第２シリンドリカルレンズ
８  光ビーム
９  記録体
４０  コリメータレンズ
４１  第１シリンドリカルレンズ
１０１〜１０３  仕切壁
１０５〜１０８  底部
１１０  切欠部
１１２  枠
１１４  スリット
２０２  仕切壁
２０３  遮蔽部材
２０７  端壁
２０８  切欠部
２１０  突起部
２１６  小孔
２１８  防湿透湿性繊維
５０１  駆動軸
【図１】
0003887995.tif 000004
【図２】
0003887995.tif 000005
【図３】
0003887995.tif 000006
【図４】
0003887995.tif 000007
【図５】
0003887995.tif 000008
【図６】
0003887995.tif 000009
【図７】
0003887995.tif 000010
【図８】
0003887995.tif 000011
【図９】
0003887995.tif 000012
【図１０】
0003887995.tif 000013
【図１１】
0003887995.tif 000014
【図１２】
0003887995.tif 000015